【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
装置本体に設けられた開閉部材と、
前記装置本体に設けられた第１搬送ローラ及び前記第１搬送ローラに圧接する第２搬送ローラを有する搬送ローラ対と、
前記第２搬送ローラを回転自在に保持すると共に前記第２搬送ローラを前記第１搬送ローラに圧接させる圧接方向にスライド可能な保持部材と、
前記保持部材を前記圧接方向に付勢する付勢手段と、
前記開閉部材を開閉する際、前記付勢手段により前記開閉部材に作用する力を低減させる低減手段と、を備え、
前記低減手段は、
前記開閉部材に揺動自在に軸支され、前記第２搬送ローラを前記第１搬送ローラに圧接させる第１位置及び前記第２搬送ローラを前記第１搬送ローラから離間させる第２位置に移動可能な揺動部材と、
前記装置本体に設けられ、前記揺動部材が当接する当接部と、を有し、
前記付勢手段は、前記揺動部材と前記保持部材との間に配置され、前記揺動部材を前記当接部に向けて揺動するように付勢し、
前記開閉部材を閉じる際、前記揺動部材と前記当接部とが当接し、前記開閉部材の閉じ方向への移動に伴って前記揺動部材を、前記付勢手段を圧縮させながら第１位置に移動させ、前記開閉部材を開く際、前記開閉部材の開放方向への移動に伴って前記揺動部材を、前記当接部に当接させながら前記第２位置に移動させることを特徴とするシート搬送装置。
【請求項２】
前記揺動部材は、第１アームと、前記第１アームと一体に形成された第２アームとを備え、
前記付勢手段は、前記保持部材と前記第１アームとの間に配設され、
前記第２アームは、前記当接部に当接するように構成されていることを特徴とする請求項１記載のシート搬送装置。
【請求項３】
前記搬送ローラ対が設けられるシート搬送路が、前記装置本体に設けられた固定ガイド部材と、前記開閉部材の開放に伴って移動する移動ガイド部材により形成されることを特徴とする請求項１又は２記載のシート搬送装置。
【請求項４】
前記移動ガイド部材を前記開閉部材に一体に取り付けることを特徴とする請求項３記載のシート搬送装置。
【請求項５】
前記移動ガイド部材に前記第２搬送ローラ及び前記保持部材を設けることを特徴とする請求項３又は４記載のシート搬送装置。
【請求項６】
装置本体に設けられた開閉部材と、
前記装置本体に設けられた第１搬送ローラと、
前記開閉部材に設けられ、前記第１搬送ローラに圧接される第２搬送ローラと、
前記開閉部材に設けられ、前記第２搬送ローラを前記第１搬送ローラに付勢する付勢手段と、
揺動中心を中心として前記開閉部材に対して揺動できるように、前記開閉部材に支持された可動部材と、
前記装置本体に設けられ、前記可動部材が接離可能に当接する当接部と、を備え、
前記第１搬送ローラと圧接するように前記第２搬送ローラを付勢する前記付勢手段からの反力を前記可動部材が受けて、前記揺動中心を中心として前記当接部に向かって前記可動部材が第１方向に付勢されるように、前記第２搬送ローラと前記可動部材との間に前記付勢手段が配置され、
前記当接部は、前記開閉部材を閉じる際に、前記揺動中心を中心として前記可動部材を前記第１方向とは反対の第２方向に揺動させることを特徴とするシート搬送装置。
【請求項７】
前記可動部材は、前記付勢手段と係合する第１アームと、前記第１アームと一体に形成されると共に前記当接部に当接する第２アームとを有し、
前記可動部材の揺動中心は、前記第１アームと前記第２アームとの間に配置されていることを特徴とする請求項６記載のシート搬送装置。
【請求項８】
前記開閉部材は、前記装置本体に対して回動中心を中心に開閉可能であることを特徴とする請求項１乃至７の何れか１項に記載のシート搬送装置。
【請求項９】
前記付勢手段は、ばねであり、
前記可動部材と前記当接部とが接している状態での、前記開閉部材の前記閉じ方向への移動に伴って、前記可動部材が前記開閉部材に対して前記ばねを圧縮させるように移動することを特徴とする請求項６に記載のシート搬送装置。
【請求項１０】
前記開閉部材が閉じた状態において、前記ばねの復元力を、前記可動部材を介して前記当接部が受けることを特徴とする請求項９に記載のシート搬送装置。
【請求項１１】
前記可動部材を介して前記当接部が受ける力の向きは、前記ばねが圧縮されながら前記開閉部材が移動するときの前記開閉部材の移動方向に対して交差する方向であることを特徴とする請求項１０に記載のシート搬送装置。
【請求項１２】
前記付勢手段は、弾性部材を含み、
前記第１搬送ローラと前記第１搬送ローラとが接している状態で、前記開閉部材の閉動作に伴って、前記当接部が前記可動部材を前記第２方向に揺動させることにより、前記弾性部材が変形し、
変形した前記弾性部材の復元力によって前記第１搬送ローラに前記第２搬送ローラが押し付けられることを特徴とする請求項６乃至１１のいずれか１項に記載のシート搬送装置。
【請求項１３】
前記付勢手段は、弾性部材を含み、
前記第２搬送ローラが前記第１搬送ローラと接し、かつ、前記可動部材が前記当接部と接している状態で、前記開閉部材の閉動作に伴って、前記当接部が前記可動部材を前記第２方向に揺動させることにより、前記弾性部材が変形し、
変形した前記弾性部材の復元力によって前記第１搬送ローラに前記第２搬送ローラが押し付けられることを特徴とする請求項６乃至１１のいずれか１項に記載のシート搬送装置。
【請求項１４】
前記開閉部材に移動可能に設けられ、前記第２搬送ローラを回転可能に保持する保持部材を備え、
前記付勢手段は、弾性部材を含み、
前記弾性部材の一端が前記保持部材に取り付けられ、前記弾性部材の他端が前記可動部材に取り付けられていることを特徴とする請求項６乃至１１のいずれか１項に記載のシート搬送装置。
【請求項１５】
画像形成部と、請求項１乃至１４の何れか１項に記載のシート搬送装置とを備えたことを特徴とする画像形成装置。
【手続補正２】
【補正対象書類名】明細書
【補正対象項目名】０００９
【補正方法】変更
【補正の内容】
【０００９】
本発明は、シート搬送装置において、装置本体に設けられた開閉部材と、前記装置本体に設けられた第１搬送ローラ及び前記第１搬送ローラに圧接する第２搬送ローラを有する搬送ローラ対と、前記第２搬送ローラを回転自在に保持すると共に前記第２搬送ローラを前記第１搬送ローラに圧接させる圧接方向にスライド可能な保持部材と、前記保持部材を前記圧接方向に付勢する付勢手段と、前記開閉部材を開閉する際、前記付勢手段により前記開閉部材に作用する力を低減させる低減手段と、を備え、前記低減手段は、前記開閉部材に揺動自在に軸支され、前記第２搬送ローラを前記第１搬送ローラに圧接させる第１位置及び前記第２搬送ローラを前記第１搬送ローラから離間させる第２位置に移動可能な揺動部材と、前記装置本体に設けられ、前記揺動部材が当接する当接部と、を有し、前記付勢手段は、前記揺動部材と前記保持部材との間に配置され、前記揺動部材を前記当接部に向けて揺動するように付勢し、前記開閉部材を閉じる際、前記揺動部材と前記当接部とが当接し、前記開閉部材の閉じ方向への移動に伴って前記揺動部材を、前記付勢手段を圧縮させながら第１位置に移動させ、前記開閉部材を開く際、前記開閉部材の開放方向への移動に伴って前記揺動部材を、前記当接部に当接させながら前記第２位置に移動させることを特徴とするものである。
また、本発明は、シート搬送装置において、装置本体に設けられた開閉部材と、前記装置本体に設けられた第１搬送ローラと、前記開閉部材に設けられ、前記第１搬送ローラに圧接される第２搬送ローラと、前記開閉部材に設けられ、前記第２搬送ローラを前記第１搬送ローラに付勢する付勢手段と、揺動中心を中心として前記開閉部材に対して揺動できるように、前記開閉部材に支持された可動部材と、前記装置本体に設けられ、前記可動部材が接離可能に当接する当接部と、を備え、前記第１搬送ローラと圧接するように前記第２搬送ローラを付勢する前記付勢手段からの反力を前記可動部材が受けて、前記揺動中心を中心として前記当接部に向かって前記可動部材が第１方向に付勢されるように、前記第２搬送ローラと前記可動部材との間に前記付勢手段が配置され、前記当接部は、前記開閉部材を閉じる際に、前記揺動中心を中心として前記可動部材を前記第１方向とは反対の第２方向に揺動させることを特徴とする。